(57)【特許請求の範囲】
【請求項１】
作動機構を備えた作動体と、
前記作動体を内部に収容した状態で封止される外殻体と、
を備え、
前記外殻体の底部には、前記外殻体に取り外し可能に固定されて前記作動機構の作動を規制する作動規制部材が設けられ、
前記作動体は、前記作動規制部材に前記作動機構の作動を規制された状態で前記外殻体の内部に収容され、
衝撃を加えて前記外殻体を破壊したときに、前記作動体が前記作動規制部材から外れ、前記作動機構が作動を開始することを特徴とする、作動玩具。
【請求項２】
前記作動体の作動機構はモータで駆動するものであり、
前記作動規制部材は、前記モータへの給電を阻害する絶縁体を備えて構成されることを特徴とする、請求項１記載の作動玩具。
【請求項３】
前記作動体の作動機構はゼンマイで駆動するものであり、
前記作動規制部材は、前記ゼンマイの力で回転する歯車の回転を阻止するための係合部を有することを特徴とする、請求項１記載の作動玩具。
【発明の詳細な説明】
【技術分野】
【０００１】
この発明は、外殻体に作動体を収容させた作動玩具に関するものである。
【背景技術】
【０００２】
従来、卵型などに形成した外殻体の内部に玩具を収容し、外殻体が割れたときに中の玩具が出てくるようにしたものが知られている。
【０００３】
例えば、特許文献１には、卵殻体を所定温度の湯の中に入れると、卵殻体が二つに割れ、中から造形玩具体が出てくるように構成した卵玩具が開示されている。
【先行技術文献】
【特許文献】
【０００４】
【特許文献１】実開昭６３−３４４９３号公報
【発明の概要】
【発明が解決しようとする課題】
【０００５】
しかし、上記した従来の玩具は、単に殻体から玩具が出てくるのみであり、インパクトに欠けていた。
【０００６】
そこで、本発明は、外殻体に収容した作動体が外殻体から出てくるとともに作動を開始するように形成することで、今までにない新規な玩具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の作動玩具は、作動機構を備えた作動体と、前記作動体を内部に収容した状態で封止される外殻体と、を備え、前記外殻体の底部には、前記外殻体に取り外し可能に固定されて前記作動機構の作動を規制する作動規制部材が設けられ、前記作動体は、前記作動規制部材に前記作動機構の作動を規制された状態で前記外殻体の内部に収容され、衝撃を加えて前記外殻体を破壊したときに、前記作動体が前記作動規制部材から外れ、前記作動機構が作動を開始することを特徴とする。
【００１０】
（請求項２）
請求項２に記載の発明は、上記した請求項１記載の発明の特徴点に加え、以下の点を特徴とする。
【００１１】
すなわち、前記作動体の作動機構はモータで駆動するものであり、前記作動規制部材は、前記モータへの給電を阻害する絶縁体を備えて構成されることを特徴とする。
【００１２】
（請求項３）
請求項３に記載の発明は、上記した請求項１記載の発明の特徴点に加え、以下の点を特徴とする。
【００１３】
すなわち、前記作動体の作動機構はゼンマイで駆動するものであり、前記作動規制部材は、前記ゼンマイの力で回転する歯車の回転を阻止するための係合部を有することを特徴とする。
【００１４】
【００１５】
【発明の効果】
【００１６】
本発明は上記の通りであり、作動体は、作動規制部材に作動機構の作動を規制された状態で外殻体の内部に収容され、衝撃を加えて前記外殻体を破壊したときに、前記作動体が前記作動規制部材から外れ、前記作動機構が作動を開始するように形成されている。このため、外殻体に収容した作動体が外殻体から出てくるとともに作動を開始するという今までにない新規な玩具を提供することができる。
【００１７】
また、前記作動体をモータで駆動するものとし、前記作動規制部材を前記モータへの給電を阻害する絶縁体を備えて構成すれば、衝撃を加えて前記外殻体を破壊したときに、前記モータが駆動を開始するため、例えば、前記作動体が自走を始めるように構成することができる。
【００１８】
また、前記作動体をゼンマイで駆動するものとし、前記作動規制部材の係合部で前記ゼンマイの力で回転する歯車の回転を阻止するように構成すれば、衝撃を加えて前記外殻体を破壊したときに、前記ゼンマイが駆動を開始するため、例えば、前記作動体が自走を始めるように構成することができる。
【００１９】
また、前記作動規制部材を前記外殻体に取り外し可能に固定すれば、作動体を外殻体から出した後において作動体の作動を止めたい場合に、作動規制部材を取り外して作動体に装着して使用することができる。このため、作動体の作動を止めるためのスイッチ等を設ける必要がなく、低コストで玩具を提供できる。
【図面の簡単な説明】
【００２０】
【図１】作動玩具の外観透視図である。
【図２】作動体を収容する様子を示す説明図である。
【図３】接合前の外殻体を示す外観斜視図である。
【図４】接合前の外殻体に作動規制部材を取り付けた状態を示す外観斜視図である。
【図５】作動体の分解斜視図である。
【図６】作動体の底面図である。
【図７】作動体を作動規制部材に取り付ける様子を示す図であって、（ａ）取り付け前の断面図、（ｂ）取り付け後の断面図である。
【図８】変形例に係る作動体の分解斜視図である。
【図９】変形例に係るガバナの作動を示す説明図である。
【図１０】変形例に係る作動体を作動規制部材に取り付ける様子を示す図であって、（ａ）取り付け前の断面図、（ｂ）取り付け後の断面図である。
【発明を実施するための形態】
【００２１】
本発明の実施形態について、図を参照しながら説明する。
【００２２】
本実施形態に係る作動玩具は、図１に示すように、作動機構を備えた作動体１０と、前記作動体１０を内部に収容した状態で封止される外殻体５０と、前記外殻体５０の内部に配置された作動規制部材６０とを、備えて構成される。
【００２３】
外殻体５０は、図２に示すように、中空の卵型であり、卵型の上半分を形成する上殻部５１と、卵型の下半分を形成する下殻部５２と、からなっている。この上殻部５１と下殻部５２とは、内部に作動体１０と作動規制部材６０とを収容した後に開口縁が接合されることで、卵型を形成する。
【００２４】
上殻部５１の内側天井部には、図３に示すように、複数の押え部５１ａが突出して設けられており、この複数の押え部５１ａによって、外殻体５０の内部に収容した作動体１０の頭部を固定することができるようになっている。
【００２５】
また、下殻部５２の内側底部には、図３に示すように、複数の規制部材取付け部５２ａが突出して設けられており、この複数の規制部材取付け部５２ａによって、外殻体５０の内部に収容した作動規制部材６０の底部を固定することができるようになっている。
【００２６】
上記した上殻部５１の押え部５１ａ及び下殻部５２の規制部材取付け部５２ａが設けられていることにより、図１に示すように、外殻体５０の内部に収容した作動体１０及び作動規制部材６０が、外殻体５０の内部で動かないように固定されている。
【００２７】
なお、このように形成された外殻体５０は、脆く割れやすい材料（例えば、ケミウッド等の柔軟性のない樹脂）で１ｍｍ程度の薄さで形成されているため、卵を割るように机に打ちつけるなどの衝撃を加えることで、容易に破壊されて割れるようになっている。そして、衝撃を加えて外殻体５０を破壊することで、外殻体５０の内部に収容された作動体１０が外に出てくるようになっている。
【００２８】
外殻体５０の内部に収容される作動体１０は、図１に示すように動物（例えばひよこ）の形態を模したものであり、モータ２１で駆動する作動機構を備えることにより、自走可能に形成されている。
【００２９】
この作動体１０は、図５に示すように、作動体１０の本体を形成する前部材１２と後部材１３とが組み合わさって動物の基本形状を形成し、その内部には、モータ２１、モータ２１に電力を供給するための電池２５、モータ２１の回転軸に取り付けられたウォームギア２２、ウォームギア２２と噛合するウォームホイール２３、ウォームホイール２３と一体的に回転する車輪軸２４、車輪軸２４の両端に固定される車輪１５、などが収容されている。
【００３０】
このため、モータ２１に給電が開始されると、モータ２１の回転軸と一体的にウォームギア２２が回転し、このウォームギア２２の回転はウォームホイール２３を介して直交方向の回転へと変換されて伝達される。そして、ウォームホイール２３と一体的に車輪軸２４が回転することにより、車輪１５が回転するように形成されている。
【００３１】
なお、前記した車輪１５には、外側の回転中心部分にゴム片１５ａが取り付けられている。このゴム片１５ａは、左右の車輪１５で互い違いになるように取り付けられており、車輪１５と一体的に回転することにより、あたかも足のように走行面を後方に蹴りだすような動作を行う。このため、車輪１５で走行しているにもかかわらず、あたかもゴム片１５ａで形成された足で走行しているかのように見え、走行している姿に面白味を持たせている。
【００３２】
また、車輪１５の上方には、動物の腕を模した腕部材１６が設けられており、この腕部材１６は、車輪１５の回転に合わせて上下に動作する。このため、ゴム片１５ａで形成された足のみならず、腕を動かして走行しているように見えるため、更に走行している姿に面白味が加味されている。
【００３３】
なお、後部材１３の背面部には、電池２５の交換ができるように電池カバー１４を取り外すことで電池収容部を解放可能となっている。
【００３４】
ところで、本実施形態に係る作動体１０のモータ２１への給電は、モータ２１と電池２５とに対して直列に設けられたスイッチ部２６によってオンとオフとが切り替えられる。このスイッチ部２６は、図５に示すように、薄板状の金属を折り曲げて形成した第１接触片２６ａと第２接触片２６ｂとで形成されている。この第１接触片２６ａと第２接触片２６ｂとは、いずれかがマイナス側に接続され、他方がプラス側に接続されている。この第１接触片２６ａと第２接触片２６ｂとは、通常時においては互いに接触しているため、モータ２１への給電が行われるようになっている。しかしながら、後述するように、第１接触片２６ａと第２接触片２６ｂとの間に絶縁体を挿入すれば、互いに離反するように押し曲げられてモータ２１への給電が阻害されるようになっている。
【００３５】
このスイッチ部２６は、図５に示すように、作動体１０の底部付近に設けられており、底面側から絶縁体を挿入することによって給電をオフにすることができる。すなわち、本実施形態に係る作動体１０には、図６に示すように、底面に挿入孔１０ａが開口しており、この挿入孔１０ａの内側にくるように前記したスイッチ部２６が配置されている。このため、この挿入孔１０ａから絶縁体を挿入することで、絶縁体が第１接触片２６ａと第２接触片２６ｂとの間に挿入され、モータ２１への給電が阻害されるようになっている。
【００３６】
作動規制部材６０は、上記した作動体１０の作動機構（モータ機構）の作動を規制するための樹脂製の部材であり、すなわち、第１接触片２６ａと第２接触片２６ｂとの間に挿入される絶縁突起６０ｃ（絶縁体）を備えている。絶縁突起６０ｃは、図４に示すように、作動規制部材６０の底板６０ａに立設された突起である。
【００３７】
この作動規制部材６０を外殻体５０の内部に収容する際には、図４に示すように、外殻体５０の規制部材取付け部５２ａに対して、取り外し可能に圧入固定する。
【００３８】
作動規制部材６０の底板６０ａには、作動体１０の車輪１５を載置するための車輪溝６０ｂが設けられており、この車輪溝６０ｂの上に車輪１５がくるように作動体１０を載置すれば、絶縁突起６０ｃが挿入孔１０ａに挿入されるように形成されている。
【００３９】
すなわち、図７に示すように、作動規制部材６０の上に作動体１０を載置すると、絶縁突起６０ｃが挿入孔１０ａに挿入され、挿入された絶縁突起６０ｃが第１接触片２６ａと第２接触片２６ｂとの間に入り込むため、第１接触片２６ａと第２接触片２６ｂとが絶縁されて通電が起きないように形成されている。
【００４０】
作動体１０は、図１に示すように、作動規制部材６０を取り付けた状態で外殻体５０の内部に収容されるため、すなわち、第１接触片２６ａと第２接触片２６ｂとが絶縁された状態（作動規制部材６０が前記モータ機構の作動を規制した状態）で外殻体５０の内部に収容される。
【００４１】
図１に示すように、作動体１０及び作動規制部材６０は、外殻体５０の内部に収容された状態では、外殻体５０の押え部５１ａと規制部材取付け部５２ａとで挟んで固定されているため、作動体１０が作動規制部材６０から外れることはない。しかしながら、外殻体５０が破壊されて、外殻体５０の押え部５１ａと規制部材取付け部５２ａとによる押え付けが解除されると、作動体１０は作動規制部材６０から容易に外れるようになっている。
【００４２】
このため、衝撃を加えて外殻体５０を破壊すると、作動体１０が作動規制部材６０から外れ、モータ機構が作動を開始するようになっている。すなわち、卵（外殻体５０）を割ることで、卵の中から動物（作動体１０）が飛び出し、この動物が自走を開始するように形成されている。
【００４３】
なお、このように自走を開始した作動体１０を停止させたい場合には、作動規制部材６０を外殻体５０の中から取り出し、作動体１０に装着すればよい。
【００４４】
上記の通り、本実施形態によれば、作動体１０は、作動規制部材６０にモータ機構の作動を規制された状態で外殻体５０の内部に収容され、衝撃を加えて前記外殻体５０を破壊したときに、前記作動体１０が前記作動規制部材６０から外れ、前記モータ機構が作動を開始するように形成されている。このため、外殻体５０に収容した作動体１０が外殻体５０から出てくるとともに自走を開始するという今までにない新規な玩具を提供することができる。
【００４５】
また、作動規制部材６０が外殻体５０に取り外し可能に固定されているため、作動体１０を外殻体５０から出した後において作動体１０の作動を止めたい場合に、作動規制部材６０を取り外して作動体１０に装着して使用することができる。このため、作動体１０の作動を止めるためのスイッチ等を設ける必要がなく、低コストで玩具を提供できる。
【００４６】
（変形例）
上記実施形態においては、作動機構としてモータ機構を使用することとしたが、これに限らず、例えばゼンマイ機構を作動機構として採用してもよい。
【００４７】
図８〜１０は、作動機構としてゼンマイ機構を使用した変形例に係る図面である。この図面を参照しつつ、本変形例について説明する。なお、本変形例の基本的構成態様は上記した実施形態と同様であるため、同様である旨の記載を省略し、異なる点についてのみ説明する。
【００４８】
本変形例に係る作動体１０は、図８に示すように、作動体１０の本体を形成する前部材１２と後部材１３とが組み合わさって動物の基本形状を形成し、その内部には、ゼンマイユニット３１、ゼンマイユニット３１の回転軸に取り付けられた車輪１５、ゼンマイユニット３１と隣接するように配置された揺動部材４０、などが収容されている。
【００４９】
ゼンマイユニット３１は、公知のものを使用すればよく、例えば、特開平１１−７６６３３号公報に開示されているような定速機構を備えたゼンマイユニット３１を使用すればよい。このゼンマイユニット３１は、車輪１５を平面に押し付けた状態で後方へ引くことにより車輪１５を逆回転させてゼンマイを巻くタイプの、いわゆるプルバック式である。
【００５０】
このゼンマイユニット３１が備える定速機構は、ゼンマイユニット３１を構成する歯車の回転速度を制限することで、出力軸（本変形例においては車軸３５）の回転速度を一定に保つためのものである。
【００５１】
例えば、図９に示すように、左右に揺動自在に設けられたアンクル部材３４と、星形のギア３６とが接触することにより、定速機構を構成することができる。この定速機構においては、アンクル部材３４が軸部３４ｂを中心に揺動することにより、アンクル部材３４の両端に設けられた爪部３４ａがギア３６に交互に接触し、これによりギア３６の回転数を抑制するように作用する（図９（ａ）及び（ｂ）参照）。
【００５２】
この定速機構は、ゼンマイユニット３１のケース３２の内部に配置されているものの、図８に示すように、ケース３２の表面に設けられたガバナ窓３３からアンクル部材３４が露出するようになっている。このため、図９（ｃ）に示すように、この外部に露出したアンクル部材３４をギア３６に押し付け、両側のいずれかの爪部３４ａがギア３６に係合した状態とすれば、ギア３６の回転を阻止することができる。本変形例においては、アンクル部材３４を前述した揺動部材４０によってギア３６に押し付け、ギア３６の回転を阻止するようにしている。
【００５３】
揺動部材４０は、図８に示すようなＬ字状の部材であり、前記したガバナ窓３３に臨むように配置される押圧部４０ｂと、押圧部４０ｂに対して所定角度で延出する受け部４０ａと、押圧部４０ｂと受け部４０ａとの接合部付近に設けられた軸部４０ｄと、を備えている。この揺動部材４０は、軸部４０ｄが前部材１２（または後部材１３）に軸支されて揺動自在となっている。また、押圧部４０ｂの先端付近には、押圧突起４０ｃが設けられており、この押圧突起４０ｃによって、前記したガバナ窓３３から露出するアンクル部材３４を押圧することができるようになっている。
【００５４】
この揺動部材４０は、通常時は、図示しない付勢部材によって、アンクル部材３４を押圧しない解除位置に付勢されている。
【００５５】
この揺動部材４０の受け部４０ａは、図８に示すように、作動体１０の底部付近に水平方向に設けられている。そして、この受け部４０ａの下部に位置する作動体１０の底面には、図１０に示すように、挿入孔１０ａが開口している。
【００５６】
ところで、本変形例に係る作動規制部材６０は、図８に示すように、上記した挿入孔１０ａへと挿入される係合部６０ｄを備えている。この係合部６０ｄは、底板６０ａに立設された突起であり、作動体１０を作動規制部材６０の上に載置したときに、挿入孔１０ａを貫通し、挿入孔１０ａの内側に配置された揺動部材４０の受け部４０ａを押圧するように形成されている。
【００５７】
すなわち、図１０（ａ）に示すように、作動規制部材６０の上に作動体１０を載置する前の状態においては、図示しない付勢部材により揺動部材４０が付勢され、押圧突起４０ｃがゼンマイユニット３１の外にある。
【００５８】
この状態から作動規制部材６０の上に作動体１０を載置すると、図１０（ｂ）に示すように、押圧突起４０ｃが挿入孔１０ａに挿入され、挿入された押圧突起４０ｃが揺動部材４０の受け部４０ａを付勢力に抗って押し上げる。すると、揺動部材４０は軸部４０ｄを中心に揺動し、押圧部４０ｂがゼンマイユニット３１の方向に傾けられる。この動作により、押圧部４０ｂの先端付近の押圧突起４０ｃがゼンマイユニット３１のガバナ窓３３に入り込み、アンクル部材３４を押圧する。このため、アンクル部材３４がギア３６に押し付けられるので、ギア３６の回転が阻止されて、ゼンマイ機構の作動が規制される。
【００５９】
ここで、作動体１０は、図１に示すように、作動規制部材６０を取り付けた状態で外殻体５０の内部に収容されるため、すなわち、押圧突起４０ｃがゼンマイユニット３１のアンクル部材３４を押圧した状態（作動規制部材６０が前記ゼンマイ機構の作動を規制した状態）で外殻体５０の内部に収容される。なお、収容するときには、予めゼンマイユニット３１のゼンマイを巻き上げておき、作動可能な状態にしておく。
【００６０】
このように外殻体５０の内部に収容された状態では、作動体１０及び作動規制部材６０は外殻体５０の押え部５１ａと規制部材取付け部５２ａとで挟んで固定されているため、作動体１０が作動規制部材６０から外れることはない。しかしながら、外殻体５０が破壊されて、外殻体５０の押え部５１ａと規制部材取付け部５２ａとによる押え付けが解除されると、作動体１０は作動規制部材６０から容易に外れるようになっている。
【００６１】
このため、衝撃を加えて外殻体５０を破壊すると、作動体１０が作動規制部材６０から外れ、ゼンマイ機構が作動を開始するようになっている。すなわち、卵（外殻体５０）を割ることで、卵の中から動物（作動体１０）が飛び出し、この動物が自走を開始するように形成されている。
【００６２】
上記の通り、本変形例によれば、作動体１０は、作動規制部材６０にゼンマイ機構の作動を規制された状態で外殻体５０の内部に収容され、衝撃を加えて前記外殻体５０を破壊したときに、前記作動体１０が前記作動規制部材６０から外れ、前記ゼンマイ機構が作動を開始するように形成されている。このため、外殻体５０に収容した作動体１０が外殻体５０から出てくるとともに自走を開始するという今までにない新規な玩具を提供することができる。
【００６３】
なお、上記説明においては、作動機構によって自走する作動体１０について説明したが、本発明の実施形態としてはこれに限らない。例えば、作動機構によって音声を出力するように形成してもよい。この場合、例えば、卵（外殻体５０）から出てきた動物（作動体１０）が鳴き声を発するように形成することができる。このような場合でも、上記した実施形態と同様に、作動規制部材６０によって作動機構への通電を管理すればよい。
【符号の説明】
【００６４】
１０  作動体
１０ａ  挿入孔
１２  前部材
１３  後部材
１４  電池カバー
１５  車輪
１５ａ  ゴム片
１６  腕部材
２１  モータ
２２  ウォームギア
２３  ウォームホイール
２４  車輪軸
２５  電池
２６  スイッチ部
２６ａ  第１接触片
２６ｂ  第２接触片
３１  ゼンマイユニット
３２  ケース
３３  ガバナ窓
３４  アンクル部材
３４ａ  爪部
３４ｂ  軸部
３５  車軸
３６  ギア
４０  揺動部材
４０ａ  受け部
４０ｂ  押圧部
４０ｃ  押圧突起
４０ｄ  軸部
５０  外殻体
５１  上殻部
５１ａ  押え部
５２  下殻部
５２ａ  規制部材取付け部
６０  作動規制部材
６０ａ  底板
６０ｂ  車輪溝
６０ｃ  絶縁突起（絶縁体）
６０ｄ  係合部
【図１】
0005711987.tif 000002
【図２】
0005711987.tif 000003
【図３】
0005711987.tif 000004
【図４】
0005711987.tif 000005
【図５】
0005711987.tif 000006
【図６】
0005711987.tif 000007
【図７】
0005711987.tif 000008
【図８】
0005711987.tif 000009
【図９】
0005711987.tif 000010
【図１０】
0005711987.tif 000011